(57)【要約】【課題】ワイヤ繰り出し器において、ワイヤ巻束を立てた状態で保持する作業者が不要で、ねじれによるキンクを発生させることなくワイヤを繰り出す作業を容易にする。【解決手段】ワイヤ繰り出し器１００は、ワイヤ２００がリング状に巻き束ねられたワイヤ巻束２１０を収容するリール部１０と、リール部１０を立てた状態でリール部１０の中心Ｃ回りに回転自在に支持する支持台８０とを備え、リール部１０は、ワイヤ巻束２１０の両側部を規制する側規制部材１１，１２と、ワイヤ巻束２１０の半径方向の外周部を支持する外周規制部材１３と、ワイヤ巻束２１０から引き出されるワイヤ２００の、半径方向の内側への変位を規制する内周規制部材１４とを有し、２つの側規制部材１１，１２のうち一方の側規制部材１１は、中心Ｃ回りの全周に繋がった隙間１５が形成され、内周規制部材１４は、リール部１０の内部空間から退避した位置に移動可能に設けられている。【選択図】図２
2018095469.tif 000002
【特許請求の範囲】
【請求項１】
ワイヤがリング状に巻き束ねられたワイヤ巻束を収容するリール部と、前記リール部を立てた状態で前記リール部の中心回りに回転自在に支持する支持台とを備え、
前記リール部は、前記ワイヤ巻束の両側部を規制する側規制部材と、前記ワイヤ巻束の半径方向の外周部を支持する外周規制部材と、前記ワイヤ巻束から引き出される前記ワイヤの、前記半径方向の内側への変位を規制する内周規制部材とを有し、
２つの前記側規制部材のうち一方の側規制部材は、前記中心回りの全周に繋がった隙間が形成され、
前記内周規制部材は、前記リール部の内部空間から退避した位置に移動可能に設けられているワイヤ繰り出し器。
【請求項２】
前記リール部は、少なくとも前記側規制部材の一部及び前記外周規制部材を有する外枠と、少なくとも前記側規制部材の一部及び前記内周規制部材を有する内枠との２つの部材が組み合わされ、
前記隙間は、前記外枠と前記内枠との間に形成されている請求項１に記載のワイヤ繰り出し器。
【請求項３】
ワイヤがリング状に巻き束ねられたワイヤ巻束を収容するリール部と、前記リール部を立てた状態で前記リール部の中心回りに回転自在に支持する支持台とを備え、
前記リール部は、前記ワイヤ巻束が収容される円柱状の内部空間を外部と仕切るガード部材と、前記円柱状の内部空間の内周側に、前記内周側の部分を仕切る内周仕切り部材とを有し、
前記ガード部材は、前記中心回りの全周に繋がった隙間が形成され、
前記内周仕切り部材は、前記内部空間から退避した位置に移動可能に設けられているワイヤ繰り出し器。
【請求項４】
前記支持台は、前記リール部を回転自在に支持する支軸が形成された基部と、手を掛けて引かれる引手とを備え、
前記基部は、接地した脚と、前記引手を上方に引き上げて前記脚の接地を解除した状態でも設置している、回転自在のキャスタとを有する請求項１から３のうちいずれか１項に記載のワイヤ繰り出し器。
【請求項５】
前記リール部の外側であって、前記隙間に近接した位置に、前記隙間から繰り出された前記ワイヤを、引き出す方向に案内するワイヤ案内部材を備えている請求項１から４のうちいずれか１項に記載のワイヤ繰り出し器。
【発明の詳細な説明】
【技術分野】
【０００１】
本発明は、ワイヤ繰り出し器に関する。
【背景技術】
【０００２】
電柱を支える支線等に使用されるワイヤは、丸くリング状に巻き束ねられたワイヤ巻束として保管、運搬される。そして、支線を設置する現場やその現場へ向かう前の仕掛り場所で、支線として使用する長さに切断される。
【０００３】
しかし、ワイヤはスチール等で形成されているため、真っ直ぐの状態に戻ろうとする剛性が強く、ワイヤ巻束から切断のためにワイヤを引き出す作業者とは別の作業者が、巻束をリング状の状態を維持するように立てた状態で保持していなければならない。また、ワイヤ巻束は３０〜６０［ｋｇ］程度の重さがあるため、そのワイヤ巻束を立てた状態で保持するのも困難である。
【０００４】
一方、ワイヤ巻束を保持する作業者がいない場合は、ワイヤ巻束を地面等に寝かせた平置きにした状態とし、ワイヤの剛性によって巻きの直径がある程度大きくなってしまうのを許容しつつ、作業者がワイヤの一端を持って引き出す。しかし、このとき、一端を持った状態でワイヤを一定方向に直線的に引き出すと、ワイヤがねじれた状態で引き出されて、いわゆるキンク（kink；よじれ、屈曲）が生じる。キンクの発生を回避するためには、平置きしたワイヤ巻束の回りを回りながらワイヤを引き出せばよいが、この場合、ワイヤ巻束の周囲が広く開かれている必要があり、通常は、そのような広い場所を確保するのは困難である。
【０００５】
ここで、ワイヤの供給の際における撓みを防止することでキンクを防止してワイヤを供給するワイヤ引き出し装置が提案されている（例えば、特許文献１参照）。
【先行技術文献】
【特許文献】
【０００６】
【特許文献１】特開２００３−２９２２４０号公報
【発明の概要】
【発明が解決しようとする課題】
【０００７】
しかし、特許文献１に示したものは、ワイヤの繰り出しに際してねじれによるキンクを防止又は抑制するものではない。
【０００８】
本発明は上記事情に鑑みなされたものであって、ワイヤ巻束を立てた状態で保持する作業者を必要とせずに、しかも、ワイヤの繰り出しに際してねじれによるキンクを発生させることなく、ワイヤを繰り出す作業を容易にすることができるワイヤ繰り出し器を提供することを目的とする。
【課題を解決するための手段】
【０００９】
本発明の第１は、ワイヤがリング状に巻き束ねられたワイヤ巻束を収容するリール部と、前記リール部を立てた状態で前記リール部の中心回りに回転自在に支持する支持台とを備え、前記リール部は、前記ワイヤ巻束の両側部を規制する側規制部材と、前記ワイヤ巻束の半径方向の外周部を支持する外周規制部材と、前記ワイヤ巻束から引き出される前記ワイヤの、前記半径方向の内側への変位を規制する内周規制部材とを有し、２つの前記側規制部材のうち一方の側規制部材は、前記中心回りの全周に繋がった隙間が形成され、前記内周規制部材は、前記リール部の内部空間から退避した位置に移動可能に設けられているワイヤ繰り出し器である。
【００１０】
本発明の第２は、ワイヤがリング状に巻き束ねられたワイヤ巻束を収容するリール部と、前記リール部を立てた状態で前記リール部の中心回りに回転自在に支持する支持台とを備え、前記リール部は、前記ワイヤ巻束が収容される円柱状の内部空間を外部と仕切るガード部材と、前記円柱状の内部空間の内周側に、前記内周側の部分を仕切る内周仕切り部材とを有し、前記ガード部材は、前記中心回りの全周に繋がった隙間が形成され、前記内周仕切り部材は、前記内部空間から退避した位置に移動可能に設けられているワイヤ繰り出し器である。
【発明の効果】
【００１１】
本発明に係るワイヤ繰り出し器によれば、ワイヤ巻束を立てた状態で保持する作業者を必要とせずに、しかも、ワイヤの繰り出しに際してねじれによるキンクを発生させることなく、ワイヤを繰り出す作業を容易にすることができる。
【図面の簡単な説明】
【００１２】
【図１】本発明の一実施形態であるワイヤ繰り出し器の全体構成を示す斜視図である。
【図２】ワイヤ繰り出し器を用いてワイヤ巻束からワイヤを繰り出す使用状態を示す斜視図である。
【図３】支持台の単体を示す斜視図である。
【図４】リール部を示す斜視図である。
【図５】リール部の具体的な構成を示す斜視図である。
【図６】外枠に形成されたブラケットの丸穴に、内枠の第３枠部材が通されている状態を示す斜視図である。
【図７】ブラケットの細長穴に、内枠の第３枠部材の雄ねじが通されている状態を示す斜視図である。
【図８】開閉部材が開かれた状態で、リール部の内部にワイヤ巻束が収容された状態を示す斜視図である。
【図９】リール部の内部にワイヤ巻束が収容された状態で開閉部材が閉じられた状態を示す斜視図である。
【図１０】ワイヤ巻束を内部に収容したリール部が支持台に取り付けられた状態を示す斜視図である。
【発明を実施するための形態】
【００１３】
以下、本発明に係るワイヤ繰り出し器の具体的な実施の形態について、図面を参照して説明する。
【００１４】
＜ワイヤ繰り出し器の全体構成＞
図１は、本発明の一実施形態であるワイヤ繰り出し器１００の全体構成を示す斜視図、図２は、ワイヤ繰り出し器１００を用いてワイヤ巻束からワイヤを繰り出す使用状態を示す斜視図である。
【００１５】
図示のワイヤ繰り出し器１００は、リール部１０と支持台８０とワイヤ案内部材９０とを備えている。リール部１０は長い１本のワイヤ２００（例えば、第１種亜鉛メッキ鋼より線）がリング状に巻き束ねられたワイヤ巻束２１０を収容する。支持台８０はリール部１０を立てた状態でリール部１０の中心Ｃ回りに回転自在に支持する。ワイヤ案内部材９０は、リール部１０に収容されたワイヤ巻束２１０から引き出されたワイヤ２００をリール部１０の外部に案内する。
【００１６】
（支持台）
図３は、支持台８０の単体を示す斜視図である。支持台８０は金属で形成されており、図３に示すように基部８１と引手８２とを有する。基部８１は、２本の平行に配置された管部材８７，８６と、２つの管部材８７，８６の一方の端部に寄った部分に両端が接合された繋ぎ管部材８８と、２つの管部材８７，８６の各他方の端部（繋ぎ管部材８８が接合されている部分に近い側の端部とは反対側の端部）に近い部分から斜め上方に延びた斜め管部材８９ａ，８９ｂと、２つの斜め管部材８９ａ，８９ｂが互いに接近した端部から、管部材８７，８６に対してそれぞれ平行に延びた支軸８３とを有する。支軸８３は、リール部１０の中心Ｃに配置された後述するボス２５に通されて、リール部１０を立てた状態で回転自在に支持する。
【００１７】
管部材８７の両端にはそれぞれ、角パイプなどで形成されて、地面に接する脚８５が形成されている。一方、管部材８６の両端にはそれぞれ、回転自在のキャスタ８４が設けられ、これらのキャスタ８４が地面に接している。各キャスタ８４には、回転を阻止するストッパ８４ａが設けられている。
【００１８】
引手８２は、作業者が手を掛けて引かれる部分であり、管部材８７の２つの脚８５にそれぞれ接合されていて、脚８５に対してキャスタ８４とは反対（前方）の斜め上方に向いて延びている。
【００１９】
このように形成された支持台８０は、作業者が引手８２を上方に引き上げることで、脚８５が地面から離れて、キャスタ８４のみが地面に接（接地）した状態となる。したがって、この状態のまま、作業者が引手８２を前後に移動させると、支持台８０はキャスタ８４が地面に対して転がるため、軽い力で前後に移動させることができる。一方、作業者が引手８２から手を離した状態では、脚８５が地面に接（接地）するため、脚８５と地面との摩擦により、支持台８０は地面に対して停止した状態で維持される。
【００２０】
（リール部）
図４は、リール部１０を示す斜視図である。リール部１０は、立てた状態で、支持台８０の支軸８３が通され、支軸８３回りに回転自在に支持されるボス２５を有している。ボス２５の中心がリール部１０の中心Ｃである。リール部１０は、後述するワイヤ案内部材９０を支軸８３に締め付けているアイボルト９１を緩めてワイヤ案内部材９０を支軸８３から取り外し、さらに、支軸８３の外周に被されているスペーサ９５を取り除いた状態で、支軸８３から軸方向に引き抜くことで、支持台８０から取り外される。
【００２１】
リール部１０は、図４に示すように、内部に収容したワイヤ巻束２１０（図示せず）の両側を規制する側規制部材１１，１２と、ワイヤ巻束２１０のリング状の半径方向の外周部を支持する外周規制部材１３と、ワイヤ巻束２１０から引き出されるワイヤ２００の、半径方向の内側への変位を規制する内周規制部材１４とを有している。また、リール部１０の２つの側規制部材１１，１２のうち一方の側規制部材１１には、リール部１０の中心Ｃ回りの全周に繋がった隙間１５が形成されている。
【００２２】
図５は、リール部１０の具体的な構成を示す斜視図である。リール部１０は具体的には、例えば図５に示すように、図４に示した側規制部材１１の一部、側規制部材１２及び外周規制部材１３を有する外枠２０と、図４に示した側規制部材１１の一部及び内周規制部材１４を有する内枠３０との２つの部材によって構成することができる。
【００２３】
外枠２０は、略正六角形の環状に形成された１個の第１側部材２１と、Ｊ字状に形成された４本の第１枠部材２２と、Ｉ字状に形成された２本の第２枠部材２３と、２個の開閉部材２４と、１個のボス２５とが一体に形成されている。４本の第１枠部材２２は、Ｊ字状の屈曲した部分に近い側の端部がそれぞれ、第１側部材２１の六角形の各頂点に接合されていて、六角形の各頂点から外方に張り出し、張り出した先の部分は、第１側部材２１の厚さ方向の奥側に屈曲し、屈曲した先の部分は、第１側部材２１の六角形の面と略平行に延びて、その延びた先端は、リール部１０の中心Ｃに配置されたボス２５に接合されている。
【００２４】
４本の第１枠部材２２は、第１側部材２１の六角形の６個の頂点のうち隣り合う４個の頂点に接合されている。したがって、４本の第１枠部材２２は、ボス２５に接合された状態で、中心Ｃ回りの約６０［度］の角度間隔の配置となる。そして、第１側部材２１と、これに接合された第１枠部材２２のうち、Ｊ字の屈曲した部分よりも第１側部材２１に近い側の直線部分は、一方の側の側規制部材１１として機能する。また、第１枠部材２２のうちＪ字の屈曲した部分は外周規制部材１３として機能する。また、第１枠部材２２のうちＪ字の屈曲した部分よりもボス２５に近い側の直線部分は、他方の側の側規制部材１２として機能する。
【００２５】
２本の第２枠部材２３は、第１枠部材２２と同様に、ボス２５に接合されている。各第２枠部材２３は、第１枠部材２２に対して中心Ｃ回りの約６０［度］の間隔となるように配置されている。これにより、ボス２５には、４本の第１枠部材２２と２本の第２枠部材２３とが、中心Ｃ回りの約６０［度］の角度間隔の配置となる。第２枠部材２３は、他方の側の側規制部材１２として機能する。
【００２６】
開閉部材２４は、平板状の固定部材２４ｂと、Ｃ字状に形成されてＣ字の一端に設けられた蝶番により回転可能の可動部材２４ａと、可動部材２４ａのＣ字の他端を固定部材２４ｂに接した状態でロックするバックル２４ｃと、を有している。固定部材２４ｂは、第１側部材２１の六角形の６個の頂点のうち、第１枠部材２２が接合されていない２個の頂点に、第１枠部材２２と同様に、第１側部材２１の六角形の各頂点から外方に張り出すように接合されている。固定部材２４ｂは、一方の側の側規制部材１１として機能する。
【００２７】
可動部材２４ａは、Ｉ字状の第２枠部材２３の、ボス２５に接合されている端部とは反対側の端部に、蝶番を介して接合されている。可動部材２４ａはＣ字の一端に設けられた蝶番により、Ｃ字の他端が固定部材２４ｂに接した状態と固定部材２４ｂから離れた状態との間で回転可能となっている。可動部材２４ａが固定部材２４ｂに接した状態でバックル２４ｃによりロックすると、可動部材２４ａは外周規制部材１３として機能する。これに対して、バックル２４ｃによるロックを解除して、可動部材２４ａを固定部材２４ｂから離した状態に回転させると、可動部材２４ａは外周規制部材１３として機能しない状態となる。
【００２８】
内枠３０は、略正六角形の環状に形成された１個の第２側部材３１と、棒状に形成された３本の第３枠部材３２とが一体に形成されている。第２側部材３１は、第１側部材２１よりも小さい六角形であり、第２側部材３１を第１側部材２１と同一面内に、これらの中心Ｃを一致させて配置した状態で、第１側部材２１と第２側部材３１との間には、前述した隙間１５が形成される。この隙間１５は、少なくともワイヤ２００の太さよりも大きな寸法で、中心Ｃ回りの全周に繋がって形成される。
【００２９】
３本の第３枠部材３２の一端はそれぞれ、第２側部材３１の六角形の６個の頂点のうち２個間隔（１個飛ばし）の３個に対応し、これら３個の頂点から僅かにずれた、六角形の辺上に接合されている。各第３枠部材３２は、第２側部材３１の厚さ方向の奥側に向けて延び、第２側部材３１とは反対側の他端には、軸方向に雄ねじ３３が形成され、この雄ねじ３３に、座金のついた蝶ナット３４が締結されている。
【００３０】
図６は、外枠２０に形成されたブラケット２６の丸穴２６ａに、内枠３０の第３枠部材３２が通されている状態を示す斜視図、図７は、ブラケット２６の細長穴２６ｂに、内枠３０の第３枠部材３２の雄ねじ３３が通されている状態を示す斜視図である。４本の第１枠部材２２のうち２本と２本の第２枠部材２３のうち１本にはそれぞれ、図６に示すように、ブラケット２６が設けられている。ブラケット２６は、第１側部材２１中心と第２側部材の中心とを一致された状態で、第３枠部材３２に対応する半径の位置に設けられている。
【００３１】
ブラケット２６には、第３枠部材３２の直径よりも大きな丸穴２６ａと、第３枠部材３２の直径よりも小さく、かつ雄ねじ３３の直径よりも大きな細長穴２６ｂとが繋がった穴が形成されている。したがって、第３枠部材３２は、丸穴２６ａを通過できるが、細長穴２６ｂを通過できず、雄ねじ３３は細長穴２６ｂを通過できる。そして、図６に示すように、３つのブラケット２６の各丸穴２６ａに３本の第３枠部材３２が通された状態で、各第３枠部材３２の雄ねじ３３に蝶ナット３４が締結されて、外枠２０と内枠３０とが一体となる。
【００３２】
３本の第３枠部材３２が丸穴２６ａに通されている状態では、図６に示すように、丸穴２６ａに対して第３枠部材３２を第３枠部材３２の軸方向に移動させることで、内枠３０を外枠２０に対して、第１側部材２１の厚さ方向に移動させることができる。したがって、第２側部材３１をボス２５に近づけた位置に移動した状態とすることができ、この状態では、内枠３０の全体が、外枠２０で囲まれたワイヤ巻束２１０が収容される円柱状の内部空間から退避した状態（リール部１０の内部空間の中心の通過を妨げない状態）となる。
【００３３】
一方、図７に示すように、蝶ナット３４の締め付けを緩めた状態で、丸穴２６ａから第３枠部材３２を抜くように引き、雄ねじ３３が丸穴２６ａに通った状態で、雄ねじ３３が細長穴２６ｂに移動するように外枠２０に対して内枠３０を中心回りに回転させた状態とする。この状態で、蝶ナット３４を締め付けることにより、第３枠部材３２がブラケット２６に固定され、内枠３０は外枠２０に固定される。
【００３４】
このとき、第２側部材３１は第１側部材２１よりもわずかに外側に突出した状態となり、かつ、内枠３０と外枠２０との間に、第２側部材３１の六角形と第１側部材２１の六角形とが相似状に、六角形の対応する辺同士が略平行の姿勢となって、第２側部材３１と第１側部材２１との間に、中心回りの全周に繋がった、間隔が略一定の隙間１５が形成された状態となる。
【００３５】
なお、第１側部材２１、第１枠部材２２、第２枠部材２３、開閉部材２４及び第２側部材３１は、ワイヤ巻束２１０が収容される円柱状の内部空間を外部と仕切るガード部材の一例であり、第３枠部材３２は、円柱状の内部空間の内周側に、内周側の部分を仕切る内周仕切り部材の一例である。
【００３６】
（ワイヤ案内部材）
ワイヤ案内部材９０は、図２に示すように、支持台８０の支軸８３が通されるボス９２と、ボス９２からリール部１０の半径方向に延びたアーム部９３と、アーム部９３の先端に形成されたワイヤ２００を通すＣ字状の案内部９４と、ボス２５を支軸８３に固定するアイボルト９１とを備えている。アーム部９３は、中心Ｃからの隙間１５の半径位置に対応する辺りの、リール部１０の外側に案内部９４が配置される長さに形成されている。これにより、案内部９４は、リール部１０の外側で、隙間１５に近接した位置に配置される。案内部９４は、１本の棒が螺旋状に形成されていて、Ｃ字の切れ目は同一平面上にはない。なお、案内部９４は切れ目のないＯ字状のものであってもよい。
【００３７】
＜ワイヤ繰り出し器の作用＞
以上のように構成されたワイヤ繰り出し器１００は、これを使用する作業者によって、リール部１０が支持台８０から取り外される。そして、取り外されたリール部１０（図４参照）は、蝶ナット３４（図７参照）が緩められ、雄ねじ３３を細長穴２６ｂから丸穴２６ａにずらすように、内枠３０を図４において反時計回りに回転される。そして、第３枠部材３２が図６に示すように丸穴２６ａに通されて、内枠３０が外枠２０の奥側に寄せられる。詳しくは、図５に示すように、内枠３０の第２側部材３１が、第１枠部材２２のボス２５に接合された側の直線部分及び第２枠部材２３に近接する位置又は接する位置まで寄せられる。
【００３８】
そして、２つの開閉部材２４のバックル２４ｃのロックが解除されて、各可動部材２４ａが固定部材２４ｂから離れる方向に蝶番回りに回転することにより、開閉部材２４が開かれる。これにより、ワイヤ繰り出し器１００は、リール部１０の周方向において、直径分の開口が形成される。
【００３９】
図８は、開閉部材２４が開かれた状態で、リール部１０の内部にワイヤ巻束２１０が収容された状態を示す斜視図、図９は、リール部１０の内部にワイヤ巻束２１０が収容された状態で開閉部材２４が閉じられた状態を示す斜視図である。作業者が、図８に示すように、形成された開口からリール部１０の内部に、ワイヤ巻束２１０を収容させる。このとき、内周規制部材１４として機能する第３枠部材３２は、リール部１０の内部空間から退避した位置に移動した状態とされているため、ワイヤ巻束２１０が第３枠部材３２に突き当たってワイヤ巻束２１０の収容を阻害することがない。つまり、リール部１０の内部空間にワイヤ巻束２１０を巻束の状態のままで半径方向の外側から投入することができる。
【００４０】
なお、本実施形態のワイヤ繰り出し器１００は、リール部１０の内部に収容されたワイヤ巻束２１０をリール部１０の外部に取り出すときも、内枠３０を外枠２０に対して奥側（第２側部材３１を第１枠部材２２、第２枠部材２３に近づける方向）に移動させて内周規制部材１４である第３枠部材３２をリール部１０の内部空間から外側に退避させた状態とする。これにより、リール部１０の内部空間からワイヤ巻束２１０を巻束の状態のままで半径方向の外側から取り出すことができる。
【００４１】
図示では省略しているが、リール部１０の内部に収容されるときのワイヤ巻束２１０は、周方向の複数の部位において、番線（細い針金）やビニールテープなどで束ねられているため、ワイヤ２００の剛性によりワイヤ巻束２１０の直径が膨らむことはない。
【００４２】
リール部１０の内部にワイヤ巻束２１０が収容された状態で、図９に示すように、２個の開閉部材２４が閉じられて、ワイヤ巻束２１０はリール部１０の内部に収容された状態に拘束される。さらに、内枠３０の第３枠部材３２を丸穴２６ａから引き出すように、第２側部材３１を第１側部材２１に近づける方向を移動させた上で、内枠３０を図９に示すように時計回りに回転させる。
【００４３】
そして、図７に示すように、雄ねじ３３を細長穴２６ｂに移動させた状態で蝶ナット３４が締め付けられることで、内枠３０と外枠２０とが一体に固定される。このとき、内枠３０の３本の第３枠部材３２はそれぞれ、リール部１０に収容されたワイヤ巻束２１０の内周部の半径方向の内側に配置された状態となり、ワイヤ巻束２１０から引き出されるワイヤ２００が、内周方向に移動するのを規制する内周規制部材１４として機能する。
【００４４】
図１０は、ワイヤ巻束２１０を内部に収容したリール部１０が支持台８０に取り付けられた状態を示す斜視図である。図１０に示すように、支持台８０の支軸８３がリール部１０のボス２５に通されることで、リール部１０は支持台８０に立てた状態で回転自在に支持される。そして、支軸８３に円筒状のスペーサ９５が被せられ、スペーサ９５の端部から突出した支軸８３の先端部に、ワイヤ案内部材９０のボス９２が被せられる。そして、ワイヤ案内部材９０の支軸８３回りの回転角度位置が、隙間１５からワイヤ２００が繰り出される方向に向くように調整して、アイボルト９１により支軸８３に固定される。
【００４５】
ワイヤ巻束２１０がリール部１０に収容された状態で、ワイヤ２００を束ねていた番線やビニールテープが取り除かれるが、これにより、ワイヤ２００を一定の直径の巻束に拘束していた荷重が無くなって、ワイヤ巻束２１０は、ワイヤ２００の剛性により、直径が大きくなるように膨らみ、また、ワイヤ巻束２１０がばらけてワイヤ巻束２１０のリング状の厚さ方向にも膨らむ場合がある。
【００４６】
しかし、ワイヤ繰り出し器１００は、リール部１０の外周規制部材１３（図４参照）がワイヤ巻束２１０の外周を下側から支持する。また、外周規制部材１３は、ワイヤ巻束２１０が膨らんだ場合には、外径を規制するため、ワイヤ巻束２１０の外径が一定以上に大きくなるのを防止する。さらに、ワイヤ繰り出し器１００は、リール部１０の側規制部材１１，１２（図４参照）がワイヤ巻束２１０の厚さ（厚さ方向の寸法）を規制するため、ワイヤ巻束２１０の厚さが一定以上に大きくなるのを防止し、巻き束の状態を維持させる。
【００４７】
ここで、図１０に示すように、リール部１０の外周側には、ワイヤ巻束２１０の外周側のワイヤ２００の端部２２０をリール部１０に固定することができる第１固定部４１が形成され、リール部１０の内周側には、ワイヤ巻束２１０の内周側のワイヤ２００の端部（図示せず）をリール部１０に固定することができる第２固定部４２が形成されている。これら第１固定部４１及び第２固定部４２は、リール部１０に対してワイヤ巻束２１０が相対的に回転するのを防止する。
【００４８】
例えば、ワイヤ巻束２１０の内周側のワイヤ２００の端部（図示せず）からワイヤ２００を繰り出す場合は、外周側のワイヤ２００の端部２２０を第１固定部４１に固定すればよく、外周側の端部２２０からワイヤ２００を繰り出す場合は、内周側のワイヤ２００の端部を第２固定部４２に固定すればよい。
【００４９】
なお、ワイヤ２００の端部を第１固定部４１又は第２固定部４２に固定しなくても、ワイヤ巻束２１０がリール部１０と一体的に回転する場合は、ワイヤ２００の端部を第１固定部４１又は第２固定部４２に固定しなくてもよいし、第１固定部４１及び第２固定部４２を備えなくてもよい。
【００５０】
また、第１固定部４１の設置位置及び第２固定部４２の設置位置は、この実施形態のワイヤ繰り出し器１００のものに限定されず、ワイヤ巻束２１０の直径等に応じて適切な位置に変更してもよい。
【００５１】
なお、図１０に示した例では、ワイヤ巻束２１０の外周側の端部２２０を固定して内周側の端部から繰り出すことを想定していて、この場合、リール部１０を図示の時計回りに回転させるが、ワイヤ巻束２１０の内周側の端部を固定して外周側の端部２２０から繰り出す場合は、リール部１０を図示の反時計回りに回転させることになる。したがって、ワイヤ巻束２１０をリール部１０に収容する際、ワイヤ巻束２１０からワイヤ２００を引き出すときのリール部１０の回転方向を考慮して、ワイヤ巻束２１０の収容向きを決定するのが好ましい。
【００５２】
本実施形態では、ワイヤ繰り出し器１００にセットされた収容されたワイヤ巻束２１０は、外周側のワイヤ２００の端部２２０が第１固定部４１に固定され、図２に示すように、内周側のワイヤ２００の端部が、リール部１０の内部から隙間１５、ワイヤ案内部材９０の案内部９４を順次通されて、作業者によって引き出す方向Ｆに引かれる。このとき、引き出されたワイヤ２００と第３枠部材３２（内周規制部材１４）との接触による摩擦力により、リール部１０も、引き出されるワイヤ２００とともに動く。これにより、リール部１０は、中心Ｃ回りに、図示の時計回り方向Ｒに回転し、ワイヤ巻束２１０のワイヤ２００が、隙間１５、案内部９４を通って繰り出される。
【００５３】
なお、リール部１０を回転させる力としては、上述したワイヤ２００と第３枠部材３２との摩擦力の他、ワイヤ２００が引き出す方向Ｆに引かれることでワイヤ巻束２１０がリール部１０の内部で回転するときの、ワイヤ巻束２１０の外周部（特に、図示の下部）と外周規制部材１３（第１枠部材２２、可動部材２４ａ）との接触による摩擦力もある。
【００５４】
このとき、ワイヤ２００に対して引き出す方向Ｆに引っ張り力が作用することで、ワイヤ巻束２１０のうち、その引き出されているワイヤ２００に繋がっている最内周のワイヤ部分が、隙間１５の方向に引かれて半径方向の内方Ｉに変位する。半径方向の内方Ｉに変位したワイヤ部分は内周規制部材１４である第３枠部材３２に接して、第３枠部材３２よりも内側に移動するのを規制される。したがって、ワイヤ２００は、隙間１５からスムーズに繰り出される。
【００５５】
なお、本実施形態のワイヤ繰り出し器１００は、適用するワイヤ２００が相対的に太い直径のもの（断面積が例えば７０［ｍｍ２］程度のもの）では、図２に示すように、ワイヤ２００に対して引き出す方向Ｆに引っ張り力が作用したとき、ワイヤ巻束２１０のうち、その引き出されているワイヤ２００に繋がっている最内周のワイヤ部分の、隙間１５に近い部分が、内周規制部材１４である第３枠部材３２の１つに接する。これは、太い直径のワイヤ２００は相対的に剛性が強いため、その剛性により外側（半径方向の外側）に膨らもうとする力が強く、引き出す方向Ｆに作用している引っ張り力が、最内周のワイヤ部分の一部にのみ曲げ応力として作用するためと考えられる。
【００５６】
一方、適用するワイヤ２００が相対的に細い直径のもの（断面積が例えば２２［ｍｍ２］程度のもの）では、ワイヤ２００の剛性が比較的弱いため、引き出す方向Ｆに作用している引っ張り力が曲げ応力として作用するワイヤ２００の長さ範囲が長くなる。したがって、引き出す方向Ｆに引っ張り力が作用したとき、ワイヤ巻束２１０のうち、その引き出されているワイヤ２００に繋がっている最内周のワイヤ部分の全周や、場合によっては、それよりもさらに次以降の周回の部分も、内周規制部材１４である第３枠部材３２に巻き付いた状態で、隙間１５から繰り出されていく。
【００５７】
この場合、内周規制部材１４が無いと、繰り出されるワイヤ２００は、リール部１０の回転中心となる支軸８３に被せられたスペーサ９５（図１０参照）に巻き付き、ワイヤ２００がスムーズに繰り出されない状況になる。しかし、ワイヤ繰り出し器１００は、内周規制部材１４が、ワイヤ２００が過度に内側に移動するのを阻止するため、そのような状況になるのを防止し、ワイヤ２００をスムーズに繰り出すことができる。
【００５８】
以上、詳細に説明したように、本実施形態のワイヤ繰り出し器１００によれば、ワイヤ巻束２１０を立てた状態に保持することができる。したがって、ワイヤ巻束２１０を立てた状態で保持する作業者を必要とせず、ワイヤ２００を引き出す作業者一人での作業も可能である。しかも、ワイヤ繰り出し器１００によれば、ワイヤ巻束２１０からワイヤ案内部材９０の案内部９４を通して引き出す方向Ｆに作用する引張り力により、ワイヤ巻束２１０を介して、リール部１０が支軸８３回りに回転される。
【００５９】
これにより、リール部１０に収容されたワイヤ巻束２１０から、隙間１５及びワイヤ案内部材９０の案内部９４を通って引き出す方向Ｆに沿ってワイヤ２００が軽い力で繰り出される。したがって、ワイヤ２００を繰り出す作業を容易にすることができる。そして、リール部１０が回転しながら引き出す方向Ｆに繰り出されたワイヤ２００は、ねじれがないためキンクが生じることもない。
【００６０】
また、本実施形態のワイヤ繰り出し器１００によれば、ワイヤ２００は、立てられた状態のリール部１０の側部に形成された隙間１５から繰り出されるため、ワイヤ巻束２１０の外周面の外方に外周規制部材１３が形成されていても、ワイヤ２００をワイヤ巻束２１０の略接線方向に真っ直ぐ繰り出すことができる。
【００６１】
本実施形態のワイヤ繰り出し器１００は、リール部１０が外枠２０と内枠３０との組み合わせで形成されているため、側規制部材１１に、中心Ｃ回りに全周に繋がった隙間１５を簡単に形成することができる。
【００６２】
また、本実施形態のワイヤ繰り出し器１００は、２個の開閉部材２４を開いた状態とすることで、リール部１０の直径分の開口を形成することができるため、第１枠部材２２よりも製造コストの高い開閉部材２４を最小限の数量とすることができる。
【００６３】
また、本実施形態のワイヤ繰り出し器１００は、リール部１０の内部にワイヤ巻束２１０を収容するときや内部からワイヤ巻束２１０を取り出すときに、内枠３０を外枠２０に対して奥側（第２側部材３１をボス２５に近づける方向）に移動させて内周規制部材１４である第３枠部材３２をリール部１０の内部空間から外側に退避させた状態とする。これにより、リール部１０の内部にワイヤ巻束２１０を半径方向の外側から挿脱させることができる。一方、内枠３０は、第３枠部材３２をリール部１０の内部空間に張り出した位置に移動した状態でワイヤ巻束２１０のワイヤ２００を引き出したとき、ワイヤ２００がリール部１０の中心側に絞られるのを規制することができる。
【００６４】
また、本実施形態のワイヤ繰り出し器１００は、リール部１０の第１側部材２１が略正六角形の環状で、第２側部材３１も略正六角形の環状で、これらは互いに相似に形成されているため、第１側部材２１と第２側部材３１との間に形成される隙間１５を、中心Ｃ回りの全周に亘って略一定の寸法に形成することができ、これにより、この隙間１５を通るワイヤ２００をスムーズに通過させることができる。
【００６５】
また、本実施形態のワイヤ繰り出し器１００は、リール部１０の第２側部材３１が第１側部材２１よりも外側（中心Ｃの軸方向に沿ったリール部１０の外側）に僅かに出っ張っているため、隙間１５を通過するワイヤ２００が、第２側部材３１に接触し難くすることができる。
【００６６】
また、本実施形態のワイヤ繰り出し器１００は、隙間１５に近接してワイヤ案内部材９０を備えているため、ワイヤ案内部材９０よりも先で引かれるワイヤ２００の向きに拘わらず、ワイヤ案内部材９０よりもリール部１０の側でのワイヤ２００の姿勢を一定にすることができ、ワイヤ２００が隙間１５の縁（第１側部材２１や第２側部材３１）に強く当たるのを防止又は抑制することができる。
【００６７】
また、本実施形態のワイヤ繰り出し器１００は、支持台８０に、２つの脚８５と２つのキャスタ８４が取り付けられているため、作業者が引手８２を上方に持ち上げて脚８５を地面から離した状態とすることで、支持台８０はキャスタ８４だけが地面に接した状態となる。したがって、この状態で、引手８２を前後に移動させることで、キャスタ８４は転動し、ワイヤ繰り出し器１００は軽い力で前後に進退させることができる。
【００６８】
一方、引手８２から手を離した状態では、脚８５が地面に接するため、脚８５と地面との摩擦により、支持台８０は地面に対して停止した状態で維持され、ワイヤ２００を繰り出している際に、ワイヤ繰り出し器１００が移動するのを阻止することができる。したがって、ワイヤ２００を引き出す作業者の他に、ワイヤ繰り出し器１００が移動しないようにワイヤ繰り出し器１００を停止させておく別の作業者を必要としない。なお、キャスタ８４に設けられているストッパ８４ａをストップ位置に操作して、キャスタ８４の回転も阻止することで、脚８５とともに強い摩擦力により、ワイヤ繰り出し器１００の移動をより強い力で阻止することができる。
【００６９】
また、本実施形態のワイヤ繰り出し器１００は、外枠２０に形成されたブラケット２６（図６，７参照）に形成された細長穴２６ｂは、丸穴２６ａよりも、リール部１０の回転方向の下流側に形成されている。このため、仮に、蝶ナット３４の締め付けが緩んだ状態で、ワイヤ２００に接触した第３枠部材３２が形成された内枠３０が外枠２０に先行して、回転するモーメントを受けても、第３枠部材３２が丸穴２６ａの側に移動するのを防止することができ、内枠３０が外枠の側方に寄せられた状態（図８参照）になるのを防止することができる。
【００７０】
＜変形例＞
本実施形態のワイヤ繰り出し器１００は、リール部１０が外枠２０と内枠３０との組み合わせで形成されたものであるが、本発明に係るワイヤ繰り出し器はこの実施形態に限定されるものではなく、リール部が、ワイヤ巻束の両側部を規制する側規制部材と、ワイヤ巻束の半径方向の外周部を規制する外周規制部材と、ワイヤ巻束から引き出されるワイヤの、半径方向の内周側への移動を規制する内周制部材とを有し、２つの側規制部材のうち一方の側規制部材が、リール部の中心回りの全周に繋がった隙間が形成されているものであれば、如何なる構成で形成されていてもよい。
【００７１】
なお、本実施形態のワイヤ繰り出し器１００は、リール部１０を構成する側規制部材１１，１２、外周規制部材１３及び内周規制部材１４がいずれも、管状又は棒状の部材で形成され、骨格だけの形状であるが、本発明におけるワイヤ繰り出し装置のリール部はこの実施形態に限定されるものではなく、側規制部材、外周規制部材及び内周規制部材の全て又は一部を、ワイヤ巻束２１０を覆う板状の部材で形成してもよい。ただし、本実施形態のワイヤ繰り出し器１００のように、骨格だけの構成で強度があれば十分であり、製造コストも安価に抑えることができる。
【００７２】
また、本実施形態のワイヤ繰り出し器１００は、内枠３０を外枠２０に対して奥側（第２側部材３１をボス２５に近づける方向）に移動させて内周規制部材１４である第３枠部材３２をリール部１０の内部空間から外側に退避させた状態とするが、第３枠部材３２をリール部１０の内部空間から外側に退避させる構成としては、内枠３０を外枠２０から分離するように着脱する構成や、内枠３０を外枠２０に対して第１側部材の手前側に扉状に開く構成としてもよい。
【００７３】
また、本実施形態のワイヤ繰り出し器１００は、２個の可動部材２４ａを開いた状態とすることで、リール部１０の直径分の開口を形成することができるが、可動部材２４ａは２個に限定されるものではなく、３個以上設けたものであってもよい。この場合、リール部１０の全周のうち２個の開閉部材２４を開閉することでリール部１０の直径分の開口を得ることができるため、開閉部材２４の有る回転位置にリール部１０を回転させる手間が無く利便性が高い。
【００７４】
また、本実施形態のワイヤ繰り出し器１００は、リール部１０の第１側部材２１及び第２側部材３１がいずれも略正六角形の環状に形成されているが、第１側部材２１及び第２側部材３１は、他の形状の環状に形成されていてもよい。すなわち、例えば、第１側部材２１及び第２側部材３１はいずれも、三角形の環状や、四角形の環状や、五角形以上の多角形の環状であってもよいし、円環状であってもよい。また、第１側部材２１と第２側部材３１とは、相似形の三角形同士や、四角形同士や、五角形以上の多角形同士でなくてもよく、第１側部材２１が六角形の環状、第２側部材３１が円環状などの、互いに相似形では無い組み合わせであってもよい。
【００７５】
また、本実施形態のワイヤ繰り出し器１００は、リール部１０の第２側部材３１が第１側部材２１よりも外側（中心Ｃの軸方向に沿ったリール部１０の外側）に僅かに出っ張っているが、第１側部材２１と同一面に配置されていてもよいし、第１側部材２１よりも内側に僅かに引っ込んでいてもよい。
【００７６】
本実施形態のワイヤ繰り出し器１００は、ワイヤ案内部材９０を備えているが、本発明に係るワイヤ繰り出し器は、ワイヤ案内部材を備えない構成であってもよい。ワイヤ案内部材を備えない構成であっても、リール部の側部材の隙間からワイヤをスムーズに引き出せればよいため、隙間の形状を、ワイヤが引っ掛かり難い形状とするのが好ましい。この場合、本実施形態のワイヤ繰り出し器１００においては、第１側部材２１及び第２側部材３１を、頂点の数がより多い多角形の環状としたり、円環状としたりすることで、ワイヤ案内部材９０が無くても隙間１５にワイヤ２００を引っ掛かり難くすることができる。
【００７７】
本実施形態のワイヤ繰り出し器１００は、リール部１０の外周規制部材１３が４本の第１枠部材２２と２個の可動部材２４ａとにより構成されているが、これらの数については、第１側部材２１の多角形の頂点の数に対応させてもよいし、多角形の頂点の数に対応させなくてもよい。したがって、外周規制部材１３として機能する第１枠部材２２と可動部材２４ａとの合計の数は、少なくとも３個以上であれば、４個でも、５個でも、７個以上であってもよい。これらの数は、実質的に外周規制部材として機能することと製造コストとの兼ね合いで適宜設定することができる。
【００７８】
また、本実施形態のワイヤ繰り出し器１００は、リール部１０の内周規制部材１４が３本の第３枠部材３２により構成されているが、これらの数についても、３個に限定されるものではなく、第２側部材３１の多角形の頂点の数に対応させてもよいし、多角形の頂点の数に対応させなくてもよい。したがって、内周規制部材１４として機能する第３枠部材３２の数は、少なくとも３個以上であれば、４個でも、５個でも、６個以上であってもよい。これらの数は、実質的に内周規制部材として機能することと製造コストとの兼ね合いで適宜設定することができる。
【００７９】
また、本実施形態のワイヤ繰り出し器１００は、支持台８０に、２つだけキャスタ８４が取り付けられているが、２つの脚８５に代えてそれぞれキャスタ８４にかえた構成としてもよい。また、各キャスタ８４には、キャスタ８４の転動を阻止するストッパ８４ａが設けられているが、ストッパ８４ａは無くてもよい。ただし、脚８５の代わりにキャスタ８４を設けた構成の場合は、少なくとも２つのキャスタ８４にはストッパ８４ａを設けることが好ましい。
【００８０】
本実施形態のワイヤ繰り出し器１００は、適用するワイヤ２００として第１種亜鉛メッキ鋼より線を例示したが、本発明に係るワイヤ繰り出し器は、ワイヤとして第１種亜鉛メッキ鋼より線を適用したものに限定されるものではなく、アルミ覆鋼より線などの他の種類のより線をワイヤとして適用することもできる。また、適用するワイヤとしては、より線に限定されるものではなく、より線ではない一般的な金属の線や、金属以外のＦＲＰ（Fiber-Reinforced Plastics；繊維強化プラスチック）等の線材であってもよい。
【符号の説明】
【００８１】
１０    リール部
１１，１２    側規制部材
１３    外周規制部材
１４    内周規制部材
１５    隙間
２２    第１枠部材
３２    第３枠部材
８０    支持台
８３    支軸
９０    ワイヤ案内部材
９４    案内部
１００  ワイヤ繰り出し器
２００  ワイヤ
２１０  ワイヤ巻束
Ｃ      中心
Ｆ      引き出す方向
Ｉ      半径方向の内方
【図１】
2018095469.tif 000003
【図２】
2018095469.tif 000004
【図３】
2018095469.tif 000005
【図４】
2018095469.tif 000006
【図５】
2018095469.tif 000007
【図６】
2018095469.tif 000008
【図７】
2018095469.tif 000009
【図８】
2018095469.tif 000010
【図９】
2018095469.tif 000011
【図１０】
2018095469.tif 000012
【手続補正書】
【提出日】平成29年11月14日(2017.11.14)
【手続補正１】
【補正対象書類名】特許請求の範囲
【補正対象項目名】全文
【補正方法】変更
【補正の内容】
【特許請求の範囲】
【請求項１】
ワイヤがリング状に巻き束ねられたワイヤ巻束を収容するリール部と、前記リール部を立てた状態で前記リール部の中心回りに回転自在に支持する支持台とを備え、
前記リール部は、前記ワイヤ巻束の両側部を規制する側規制部材と、前記ワイヤ巻束の半径方向の外周部を支持する外周規制部材と、前記ワイヤ巻束から引き出される前記ワイヤの、前記半径方向の内側への変位を規制する内周規制部材とを有し、
２つの前記側規制部材のうち一方の側規制部材は、前記中心回りの全周に繋がった隙間が形成され、
前記内周規制部材は、前記リール部の内部空間から退避した位置に移動可能に設けられ、
前記リール部は、少なくとも前記側規制部材の一部及び前記外周規制部材を有する外枠と、少なくとも前記側規制部材の一部及び前記内周規制部材を有する内枠との２つの部材が組み合わされ、
前記隙間は、前記外枠と前記内枠との間に形成されているワイヤ繰り出し器。
【請求項２】
前記支持台は、前記リール部を回転自在に支持する支軸が形成された基部と、手を掛けて引かれる引手とを備え、
前記基部は、接地した脚と、前記引手を上方に引き上げて前記脚の接地を解除した状態でも接地している、回転自在のキャスタとを有する請求項１に記載のワイヤ繰り出し器。
【請求項３】
前記リール部の外側であって、前記隙間に近接した位置に、前記隙間から繰り出された前記ワイヤを、引き出す方向に案内するワイヤ案内部材を備えている請求項１又は２に記載のワイヤ繰り出し器。